(57)【要約】   「ヘアピン」。ヘアピンに対してなされた解決案である本発明は、プロの仕事人に髪止めを容易にするとともにいくつかの選択肢をも提供することができるさまざまなスタイルから構成されている。本明細書に記載のヘアピンは、髪のボリューム、髪の量または髪の厚みには関係なく、さらに、髪の毛が、真っ直ぐになっているのか、カールがかかっているか、薄いのかまたは濃いのかには関係なく、ヘアピンの使用を容易にするとともに、髪を効率的に止めるためのいくつかの選択肢を与えることができる。
2011509126.tif 000002
【特許請求の範囲】
【請求項１】
上側プラットフォーム２および下側プラットフォーム３の２つのプラットフォームからなる「ヘアピン」であって、
上側プラットフォーム２と下側プラットフォーム３との間には、髪の固定に用いられるブリスル５またはグリップ５Ａが設けられ、 上側プラットフォーム２と下側プラットフォーム３との固定が前記ホルダーの後部に位置する構成部材である従来のバネ・ピンシステム（図示せず）により構成されており、
本ヘアピン１の後部を押すと、上側プラットフォーム２および下側プラットフォーム３の開閉運動が生じ、髪が上側プラットフォーム２と下側プラットフォーム３との間で止められるように構成されており、
ピンまたは他のアクセサリを用いることを必要とすることなく、最初に止められた髪の塊の真下に位置する髪の塊の整髪をもっと実用的に行うことを可能とするため、図１によれば、前記ヘアピン１が、上側プラットフォーム２および下側プラットフォーム３に、細長い形状を有する中央に形成された開口部４を備え、髪の固定に用いられる前記ブリスル５が、前記中央に形成された開口部４のまわり全体に一列に設けられており、
第一の構造的な変形例によれば、ヘアピン１が、その上側プラットフォーム２に、図１に記載の前記ヘアピン１のモデルに考えられているブリスル５と同一の複数の列に規則正しく並べられるブリスル５を備えており、
第二の変形例によれば、ヘアピン１が、その上側プラットフォーム２の中心部の全長にわたって整列して設けられているグリップ５Ａを備え、グリップ５Ａの各ユニットが、柔軟なかつ切り取られた膜５Ａを間に挟む一対のほぼ三角形状のかつ細長い突出部５Ａ’を順次並べることによって形成されてなる、「ヘアピン」。
【請求項２】
前記第一の構造的な変形例によれば、ヘアピン（１）は、上側プラットフォーム２に、ブリスル５と同一の複数の列に規則正しく並べられているブリスル５とを備えており、
ブリスル５が、それぞれの上側プラットフォーム２の上面から突出する連続して形成された細い突出部によって基本的に構成されており、ここで強調すべき点は、両方の場合において、前記ブリスル５が、該ブリスル５の起点である前記上側プラットフォーム２の構造の一部であり、実質的に一体成形の本体を形成してなる、請求項１に記載の「ヘアピン」。
【請求項３】
図３に記載のように、前記ヘアピン１が、その上側プラットフォーム２の中心部の全長にわたって整列して設けられているグリップ５Ａを備えており、グリップ５Ａの各ユニットが、柔軟なかつ切り取られた膜５Ａ’’を間に挟む一対のほぼ三角形状のかつ細長い突出部５Ａ’を順次並べることによって形成されてなる、請求項１に記載の「ヘアピン」。
【発明の詳細な説明】
【技術分野】
【０００１】
本明細書は、ヘアピンに付与される構造の発明に関するものであり、とくに髪を整えるために外で用いるヘアピンの構造の変形に関するものである。
【発明の概要】
【発明が解決しようとする課題】
【０００２】
本発明の目的は、実用的かつ迅速に支度できるようないつかのタイプのヘアスタイルに従った整髪に用いられるようにとくに開発されるヘアピンを提供することにある。
【０００３】
従来のヘアピンは、これまでずっと、構造、美的感覚、髪止めの点において変更されないままであった。
【０００４】
今日のヘアピンは従来の形状を有しており、今日のヘアピンの最も一般的なマイナスの特性は、その有効性が髪の物理的な特性、すなわち髪のボリューム、量、厚みに直接的に依存するという点にある。
【０００５】
従来のヘアピンの他のマイナスの特性は、従来のヘアピンでは、プロの仕事人が、従来のヘアピンを適切に止めたあと、このヘアピンを髪を止める部品として用いることができなくなってしまうという点にある。
【課題を解決するための手段】
【０００６】
したがって、本発明の改良点は、ヘアピンに導入する改良構造を提供することにある。この構造により、ヘアスタイルに合わせてより実用的に髪を整えることが可能となる、すなわち複数のプロの仕事人により享受されうる利点が提供されることとなる。
【０００７】
本明細書に記載のヘアピンは、髪のボリューム、髪の量または髪の厚みには関係なく、また、髪の毛が、真っ直ぐになっているのか、カールがかかっているか、薄いのかまたは濃いのかには関係なく、ヘアピンの使用を容易にするとともに髪を効率的に止めるためのいくつかの選択肢を与えることができる。
【０００８】
本明細書に記載のヘアピンは、形状および髪を整えるという点に関する発明を明確に示している。
【０００９】
下記に、図面を参照して本発明を詳細に記載する。
【図面の簡単な説明】
【００１０】
【図１】本発明に係るヘアピンを示す斜視図である。
【図２】ヘアピンの第一の変形例を示す斜視図である。
【図３】ヘアピンの第二の変形例を示す斜視図である。
【００１１】
これらの図を参照すると、本発明に係るヘアピン１が上側プラットフォーム２および下側プラットフォーム３からなる２つのプラットフォームを備えており、上側プラットフォーム２と下側プラットフォーム３との間には、髪の固定に用いられるブリスル（ｂｒｉｓｔｌｅ）５またはグリップ（ｇｒｉｐ）５Ａが設けられている。
【００１２】
上側プラットフォーム２および下側プラットフォーム３の固定は、ホルダーの後部に位置する構成部材である従来のバネ・ピンシステム（図示せず）によって達成されている。
【００１３】
このヘアピン１の後部を押すと、上述のプラットフォーム２、３の開閉運動が生じ、上述のプラットフォーム２、３の間で髪が止められることになる。
【００１４】
ブリスル５およびグリップ５Ａは、上述のプラットフォーム２および３の間に止められた髪を持ち上げて（ｉｎ  ａ  ｌｉｆｔ  ｗａｙ）止めることができるように位置決めされ、構成されている。プロの仕事人は、ブリスル５またはグリップ５Ａ（上述のホルダーのモデルに応じて）に関して記載されているように髪を位置決めすることによって、上側プラットフォーム２と下側プラットフォーム３との間に髪をまず止めた後、（従来のヘアピンにおいて従来より生じているように、）ホルダー自体から垂れ下がっている髪の塊を髪止めするように進むことができる。このような髪止めは、ブリスル５またはグリップ５Ａの及ぶ範囲で正確に行われる。
【００１５】
プロの仕事人は、ホルダー１から垂れ下がっている髪の塊を髪止めすることにより、ホルダー１に止められている髪の塊の真下に位置する髪の塊の手入れをすることが可能となる。
【００１６】
このような機能持性（ブリスル５またはグリップ５Ａに沿って髪を止めること）により、プロの仕事人は、ピンまたは他のアクセサリを用いることを必要とすることなく、最初に止めた髪の塊の真下に位置する髪の塊の整髪をさらに実用的に行うことができるようになる。
【００１７】
換言すれば、ヘアピン１は、プラットフォーム２および３の間に髪を止めるための適切な手段（従来技術であるので図示せず）と一緒になり、手段（ブリスル５およびグリップ５Ａのような手段）を用いるだけで、後ろの髪の塊を先に髪止めできるようにする。
【００１８】
本明細書の図１によれば、ヘアピン１は、上側プラットフォーム２および下側プラットフォーム３に、細長い形状を有する中央に形成された開口部４を備えており、髪の固定に用いられるブリスル５は、中央に形成された開口部４のまわり全体に一列に設けられている。
【００１９】
本発明の第一の構造的な変形例によれば、ヘアピン１は、上側プラットフォーム２に、図１に記載のヘアピン１のモデルのブリスル５と同一の複数の列に規則正しく並べられているブリスル５を備えている。
【００２０】
図１および図２に記載のヘアピン１内のブリスル５（第一の構造的な変形例に関連する）は、それぞれの上側プラットフォーム２の上面から突出する連続して形成された細い突出部によって基本的に構成されている。ここで強調すべき点は、両方の場合において、ブリスル５は、当該ブリスルの起点である上側プラットフォーム２の構造の一部である、実質的に一体成形の本体を形成しているということである。
【００２１】
さらに客観的にいえば、上側プラットフォーム２（図１のモデルおよび図２に記載の第一の構造的な変形例のモデル）は、好ましくは射出成形により製造されており、すでに一体式にブリスル５を組み込んでいるということを理解しておかなければならない。
【００２２】
図３に記載の本発明の第二の変形例によれば、ヘアピン１は、上側プラットフォーム２の中心部の全長にわたって整列して設けられているグリップ５Ａを備えており、このグリップ５Ａの各ユニットが、柔軟なかつ切り取られた膜を間に挟む一対のほぼ三角形状のかつ細長い突出部５Ａ’を順次並べることによって形成されている。
【図１】
2011509126.tif 000003
【図２】
2011509126.tif 000004
【図３】
2011509126.tif 000005
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
上側プラットフォーム（２）および下側プラットフォーム（３）の２つのプラットフォームからなる「ヘアピン」であって、
上側プラットフォーム（２）と下側プラットフォーム（３）との間には、髪の固定に用いられるブリスル（５）またはグリップ（５Ａ）が設けられ、上側プラットフォーム（２）と下側プラットフォーム（３）との固定が前記ホルダーの後部に位置する構成部材である従来のバネ・ピンシステムにより構成されており、
本ヘアピン（１）の後部を押すと、上側プラットフォーム（２）および下側プラットフォーム（３）の開閉運動が生じ、髪が上側プラットフォーム（２）と下側プラットフォーム（３）との間で止められるように構成されており、
ピンまたは他のアクセサリを用いることを必要とすることなく、最初に止められた髪の塊の真下に位置する髪の塊の整髪をもっと実用的に行うことを可能とするために、図１によれば、前記ヘアピン（１）が、上側プラットフォーム（２）および下側プラットフォーム（３）に、細長い形状を有する中央に形成された開口部（４）を備え、髪の固定に用いられる前記ブリスル（５）が、前記中央に形成された開口部（４）のまわり全体に一列に設けられており、
第一の構造的な変形例によれば、ヘアピン（１）が、その上側プラットフォーム２に、前記ヘアピン（１）のモデルにおいて考えられているブリスル（５）と同一の複数の列に規則正しく並べられているブリスル（５）を備えており、
第二の変形例によれば、ヘアピン（１）が、その上側プラットフォーム（２）の中心部の全長にわたって整列して設けられているグリップ（５Ａ）を備え、グリップ（５Ａ）の各ユニットが、柔軟なかつ切り取られた膜（５Ａ’’）を間に挟む一対のほぼ三角形状のかつ細長い突出部（５Ａ’）を順次並べることによって形成されてなる、「ヘアピン」。
【請求項２】
第一の構造的な変形例によれば、ヘアピン（１）が、上側プラットフォーム（２）に、ブリスル（５）と同一の複数の列に規則正しく並べられているブリスル（５）を備えており、
ブリスル（５）が、それぞれの上側プラットフォーム（２）の上面から突出する連続して形成された細い突出部によって基本的に構成されており、ここで強調すべき点は、両方の場合において、前記ブリスル（５）が、該ブリスル（５）の起点である前記上側プラットフォーム（２）の構造の一部であり、実質的に一体成形の本体を形成してなる、請求項１に記載の「ヘアピン」。
【請求項３】
前記ヘアピン（１）が、その上側プラットフォーム（２）の中心部の全長にわたって整列して設けられているグリップ（５Ａ）を備え、グリップ（５Ａ）の各ユニットが、柔軟なかつ切り取られた膜（５Ａ’’）を間に挟む一対のほぼ三角形状のかつ細長い突出部（５Ａ’）を順次並べることによって形成されてなる、請求項１に記載の「ヘアピン」。
【国際調査報告】
2011509126.tif 000006
2011509126.tif 000007
2011509126.tif 000008